(57)【特許請求の範囲】
【請求項１】
そけい部から下方に延在する部分を有するボクサータイプのパンツ形状を有するパンツ部材を有し、
前記パンツ部材のそけい部に取っ手部材が設けられていることを特徴とするおむつホルダー。
【請求項２】
前記取っ手部材がループ状である請求項１に記載のおむつホルダー。
【請求項３】
前記パンツ部材のそけい部に沿って弾性部材が設けられ、
前記取っ手部材が前記弾性部材と重なって設けられている請求項１または２に記載のおむつホルダー。
【請求項４】
前記パンツ部材はウェスト開口縁と脚開口縁を有し、前記ウェスト開口縁が左右に分離して前開き可能に形成されている請求項１〜３のいずれか一項に記載のおむつホルダー。
【請求項５】
前記パンツ部材は、前開き可能に形成された前側部の右側部分と左側部分の少なくとも一方の前開き縁部に、第２取っ手部材が設けられている請求項４に記載のおむつホルダー。
【発明の詳細な説明】
【技術分野】
【０００１】
本発明は、尿パッド等を着用者の股部に当てて装着するためのおむつホルダーに関するものである。
【背景技術】
【０００２】
従来、尿パッド等を着用者の股部に当てて装着するためのおむつホルダーが知られている。おむつホルダーは肌側面に尿パッド等を載置して用いられるが、尿等の漏れ防止の点から、尿パッド等は着用者の股間へフィットするように装着されることが求められる。尿パッド等の着用者の股間へのフィット性を高めることができるおむつホルダーとして、例えば特許文献１には、着用者の股間に当たる部分を伸縮材料で構成したおむつホルダーが開示されている。
【先行技術文献】
【特許文献】
【０００３】
【特許文献１】特開２００５−１１１１２０号公報
【発明の概要】
【発明が解決しようとする課題】
【０００４】
従来のおむつホルダーは、おむつホルダーを着用するときに着用者の股間へのフィット性を高めるようにすることはできても、一旦おむつホルダーを着用すると、尿パッド等が着用者の股間に好適にフィットしていなくても、おむつホルダーの外側から尿パッド等のフィット性を改善することは難しかった。
【０００５】
本発明は前記事情に鑑みてなされたものであり、その目的は、おむつホルダーを着用した状態でも、おむつホルダーの肌側面に載置した尿パッド等の着用者の股間へのフィット性を高めることができるおむつホルダーを提供することにある。
【課題を解決するための手段】
【０００６】
前記課題を解決することができた本発明のおむつホルダーとは、パンツ部材を有し、パンツ部材のそけい部に取っ手部材が設けられているところに特徴を有する。本発明のおむつホルダーは、パンツ部材のそけい部に取っ手部材が設けられているため、おむつホルダーを着用した状態で取っ手部材を上方に引っ張ることにより、おむつホルダーの肌側面に載置された尿パッド等が着用者の肌に押し付けられて、尿パッド等の着用者の股間へのフィット性を高めることができる。また、着用者だけでなく介護者等であっても、取っ手部材を引っ張ることにより尿パッド等のフィット性を容易に高めることができる。
【０００７】
取っ手部材はループ状であることが好ましい。取っ手部材がループ状であれば、取っ手部材のループ状の部分に指を引っかけることができ、取っ手部材を引っ張りやすくなる。
【０００８】
おむつホルダーは、パンツ部材のそけい部に沿って弾性部材が設けられ、取っ手部材が弾性部材と重なって設けられていることが好ましい。パンツ部材のそけい部に沿って弾性部材が設けられていれば、弾性部材の収縮力によってそけい部に沿っておむつホルダーを着用者の肌に押し付ける力が働き、尿パッド等が着用者の肌に密着しやすくなる。また、取っ手部材がそけい部に沿って設けられた弾性部材と重なって設けられていれば、取っ手部材を引っ張ることで、パンツ部材の弾性部材が設けられた部分が着用者の肌に押し付けられるように作用しやすくなり、尿パッド等の密着性を高めやすくなる。
【０００９】
パンツ部材は、そけい部から下方に延在する部分を有するボクサータイプのパンツ形状を有することが好ましい。パンツ部材がボクサータイプのパンツ形状を有していれば、おむつホルダーの肌側面に載置した尿パッド等が脚開口縁からはみ出しにくくなり、おむつホルダーを用いて尿パッド等を装着しやすくなる。また、おむつホルダーを着用した際の見栄えも良くなる。
【００１０】
パンツ部材はウェスト開口縁と脚開口縁を有し、ウェスト開口縁が左右に分離して前開き可能に形成されていることが好ましい。このようにパンツ部材が形成されていれば、おむつホルダーの着脱が容易になる。
【００１１】
パンツ部材は、前開き可能に形成された前側部の右側部分と左側部分の少なくとも一方の前開き縁部に、第２取っ手部材が設けられていることが好ましい。このようにパンツ部材が構成されていれば、第２取っ手部材をつまむことでパンツ部材の前開きを閉じたり開いたりすることが容易になる。特に高齢の着用者は手で細かい作業をすることが苦手とする場合があり、そのような高齢の着用者であっても、第２取っ手部材を利用することでおむつホルダーの着脱が容易になる。
【発明の効果】
【００１２】
本発明のおむつホルダーは、パンツ部材のそけい部に取っ手部材が設けられているため、おむつホルダーを着用した状態で取っ手部材を上方に引っ張ることにより、おむつホルダーの肌側面に載置された尿パッド等の着用者の股間へのフィット性を高めることができる。また、着用者だけでなく介護者等であっても、取っ手部材を引っ張ることにより尿パッド等のフィット性を容易に高めることができる。
【図面の簡単な説明】
【００１３】
【図１】本発明のおむつホルダーの一例を表し、着用前のおむつホルダーを外側面から見た平面図を表す。
【図２】図１に示したおむつホルダーの着用方法を表す。
【図３】本発明のおむつホルダーの他の例を表し、着用時のおむつホルダーの斜視図を表す。
【図４】図３に示したおむつホルダーの着用前の状態を表す。
【発明を実施するための形態】
【００１４】
本発明のおむつホルダーはパンツ部材を有し、おむつホルダーは、尿パッドのような使い捨て吸収性物品や布製のおむつを着用者の股間に装着するために用いられる。
【００１５】
パンツ部材は、おむつホルダーの着用時にパンツ形状を有するものであればよい。本発明においてパンツ形状とは、１つのウェスト開口と２つの脚開口を有する形状を意味する。ウェスト開口は着用者の胴を通すための開口であり、脚開口は着用者の脚を通すための開口である。
【００１６】
パンツ部材は、着用前からパンツ形状に形成されていてもよく、着用の際にパンツ形状に形成可能なものであってもよい。後者の場合、パンツ部材は例えば、着用前は止着部材が備えられたシート状であり、着用時に当該止着部材によりパンツ形状に形成される。パンツ形状は、例えば、下腹部からそけい部までを覆うショーツタイプ（ビキニタイプ）のパンツ形状であってもよく、そけい部からさらに下方に延在する部分を有するボクサータイプ（トランクスタイプ）のパンツ形状であってもよい。
【００１７】
パンツ部材を構成する材料は特に限定されない。パンツ部材は、例えば、織布、編布、不織布、プラスチックフィルム、またはこれらの積層体等から構成される。パンツ部材を構成する材料として織布、編布、不織布等の布材料を用いる場合、布材料を構成する繊維としては、例えば、ポリオレフィン、ポリエステル、ポリアミド、ポリウレタン等の合成繊維、パルプ、綿、絹等の天然繊維を用いればよい。パンツ部材を構成する材料としてプラスチックフィルムを用いる場合は、例えば、ポリオレフィン、ポリエステル、ポリアミド、ポリウレタン等の合成樹脂を用いればよい。パンツ部材は、液透過性であっても、液不透過性であってもよい。
【００１８】
パンツ部材には、そけい部に取っ手部材が設けられている。パンツ部材のそけい部とは、おむつホルダーを着用した際に着用者のそけい部に重なる部分を意味する。なお本発明では、着用者のそけい部から３０ｍｍ以内の領域もそけい部に含まれるものとする。
【００１９】
取っ手部材は、パンツ部材の外側面に設けられる。本発明では、おむつホルダーを着用した時に、着用者の肌に向く面を肌側面と称し、着用者の肌とは反対側に向く面を外側面と称する。取っ手部材は着用者や介護者等が手でつまむための部材であり、取っ手部材の一部がパンツ部材等に固定され、他部がパンツ部材の外側面から延出して設けられる。取っ手部材は、パンツ部材の肌側面に尿パッド等を載置しておむつホルダーを着用する際、着用者や介護者等が取っ手部材をつまんで上方（着用者から見て上方）に引っ張って用いられる。
【００２０】
従来のおむつホルダーでは、一旦おむつホルダーを着用すると、尿パッドと着用者の肌との間に隙間ができたり、尿パッドが着用者の股間に対して多少ずれたりして、尿パッド等が着用者の股間に好適にフィットしていなくても、おむつホルダーの外側から尿パッド等のフィット性を改善することは難しかった。しかし、本発明のおむつホルダーは、パンツ部材のそけい部に取っ手部材が設けられているため、おむつホルダーを着用した状態で取っ手部材を上方に引っ張ることにより、尿パッド等が着用者の肌に押し付けられて、尿パッド等の着用者の股間へのフィット性を高めることができる。また、取っ手部材が設けられていれば、着用者だけでなく介護者等であっても、取っ手部材を引っ張ることにより尿パッド等のフィット性を容易に高めることができる。
【００２１】
取っ手部材の形状は、取っ手部材を着用者や介護者が手でつまむことができるのであれば、特に限定されない。取っ手部材の形状は、例えば、ストリップ状（短冊状）やループ状が挙げられる。なかでも、取っ手部材はループ状であることが好ましく、このように取っ手部材が構成されていれば、取っ手部材のループ状の部分（ループ部分）に指を引っかけて、取っ手部材を引っ張りやすくなる。
【００２２】
取っ手部材は、例えば、パンツ部材の外側面から延出する部分の長さが２０ｍｍ以上であることが好ましく、３０ｍｍ以上がより好ましく、また８０ｍｍ以下が好ましく、６０ｍｍ以下がより好ましい。パンツ部材の外側面から延出する部分の長さが２０ｍｍ以上であれば、取っ手部材をつまみやすくなり、８０ｍｍ以下であれば、おむつホルダーを着用した際、取っ手部材が邪魔になりにくくなる。
【００２３】
取っ手部材がループ状である場合は、ループ部分の周長が４０ｍｍ以上であることが好ましく、６０ｍｍ以上がより好ましく、また１６０ｍｍ以下が好ましく、１２０ｍｍ以下がより好ましい。取っ手部材のループ部分の周長が４０ｍｍ以上であれば、ループ部分に少なくとも１本の指を入れることが容易になり、取っ手部材のループ部分の周長が１６０ｍｍ以下であれば、ループ部分に３，４本の指を入れて取り扱うことが容易になる。
【００２４】
取っ手部材は柔軟な材料で構成されていることが好ましい。取っ手部材が柔軟な材料で構成されていれば、おむつホルダーを着用した際に取っ手部材が着用者に押し付けられても、取っ手部材による圧迫感や違和感を覚えにくくなる。取っ手部材は、例えば、織布、編布、不織布等の布材料やプラスチックフィルム等で構成される。また、取っ手部材は、ポリウレタン糸、ポリウレタンフィルム、天然ゴム等の弾性伸縮材料で構成されていてもよい。取っ手部材は、手触りや取り扱い性を高める点から、布材料で構成されていることが好ましい。
【００２５】
取っ手部材は、左右のそけい部に設けられていることが好ましい。左右のそけい部に取っ手部材が設けられていれば、尿パッド等の着用者の股間へのフィット性をより高めることができる。また、左右の取っ手部材の引っ張る力を調整することで、尿パッド等をより好適に着用者の股間にフィットさせることが可能となる。
【００２６】
パンツ部材には、そけい部に沿って弾性部材が設けられていることが好ましい。パンツ部材のそけい部に沿って弾性部材が設けられていれば、弾性部材の収縮力によってそけい部に沿っておむつホルダーを着用者の肌に押し付ける力が働き、おむつホルダーの肌側面に載置された尿パッド等が着用者の肌に密着しやすくなる。
【００２７】
弾性部材としては、ポリウレタン糸、ポリウレタンフィルム、天然ゴム等の使い捨ておむつ等の吸収性物品に通常用いられる弾性伸縮材料を用いることができる。弾性部材は、伸張状態でパンツ部材に固定されていることが好ましい。弾性部材は、例えば、伸長倍率が１．３倍〜２．５倍でパンツ部材に固定されることが好ましい。
【００２８】
弾性部材は、パンツ部材の外側面に設けられても、肌側面に設けられてもよい。また、パンツ部材が複数層から構成され、これら複数層の間に設けられてもよい。
【００２９】
パンツ部材のそけい部に沿って弾性部材が設けられる場合、取っ手部材は弾性部材と重なって設けられることが好ましい。具体的には、取っ手部材のパンツ部材等に固定される部分が、弾性部材と重なって設けられることが好ましい。このとき、取っ手部材は弾性部材の上方端（着用者から見て上方側の端部）と重なって設けられることが好ましい。取っ手部材がそけい部に沿って設けられた弾性部材と重なって設けられていれば、取っ手部材を引っ張ることで、パンツ部材の弾性部材が設けられた部分（すなわちそけい部）が着用者の肌に押し付けられるように作用しやすくなり、尿パッド等の密着性を高めやすくなる。
【００３０】
パンツ部材のそけい部に沿って弾性部材が設けられる場合、取っ手部材と弾性部材は直接接合していてもよく、パンツ部材を介して間接的に接合していてもよい。前者の場合、取っ手部材と弾性部材は連続して設けられてもよく、また取っ手部材と弾性部材が１つの部材から構成され、その一部が取っ手部材として機能し、他部が弾性部材として機能するものでもよい。
【００３１】
パンツ部材には、そけい部に沿って補強部材が設けられていてもよい。補強部材は、上記のそけい部に沿って設けられる弾性部材の代わりに設けられてもよく、そけい部に沿って弾性部材とともに設けられてもよい。補強部材は取っ手部材と重なって設けられることが好ましく、より好ましくは補強部材の上方端（着用者から見て上方側の端部）が取っ手部材と重なって設けられることが好ましい。このように取っ手部材と補強部材が設けられていれば、取っ手部材を引っ張った際、パンツ部材がそけい部に沿って引っ張られやすくなり、その結果、尿パッド等の着用者の股間へのフィット性を高めやすくなる。また、取っ手部材を引っ張った際に、パンツ部材が破断しにくくなる。補強部材としては、パンツ部材や取っ手部材と同じまたは異なる材料をパンツ部材に取り付ければよい。
【００３２】
次に、本発明のおむつホルダーの構成例について、図面を参照して説明する。なお、本発明のおむつホルダーは図面に示された実施態様に限定されるものではない。
【００３３】
図１および図２には、着用時にパンツ形状に形成するおむつホルダーの一例を示した。図１は着用前のおむつホルダーを外側面から見た平面図を表し、図２は図１に示したおむつホルダーの着用方法を表す。図１および図２に示したおむつホルダーは、着用前は平面状に形成されている。
【００３４】
図１では、矢印ｘが横方向、矢印ｙが縦方向を表す。縦方向ｙとは、おむつホルダーを着用者が着用した際、着用者の上下方向または着用者の股間の前後方向に延びる方向を意味する。横方向ｘとは、おむつホルダーと同一面上にあり、縦方向ｙと直交する方向を意味する。横方向ｘは、おむつホルダーを着用者が着用した際、着用者の左右方向に相当する。
【００３５】
おむつホルダー１はパンツ部材２を有する。図１および図２に示したおむつホルダー１は、着用前はパンツ部材２が平面状に形成されている。
【００３６】
パンツ部材２は、縦方向ｙに前側部Ｆと後側部Ｂを有する。前側部Ｆとは、パンツ部材２の縦方向ｙの一方側に形成され、おむつホルダー着用時に着用者の腹側に当てる部分を意味する。後側部Ｂとは、パンツ部材２の縦方向ｙの他方側に形成され、おむつホルダー着用時に着用者の背側に当てる部分を意味する。前側部Ｆと後側部Ｂは、パンツ部材２の横方向ｘの長さが最も狭くなる部分を境に区分される。
【００３７】
パンツ部材２は、後側部Ｂに右ウェスト部３と左ウェスト部４とを有する。左右ウェスト部３，４は、後側部Ｂにあり、パンツ部材２の最も幅狭な部分の外縁より横方向ｘの外方に位置する部分に相当する。右ウェスト部３と左ウェスト部４は、おむつホルダー１の着用時にそれぞれ着用者の右側と左側の腰周りに当てる部分である。図１では、図面の右側が、おむつホルダーの着用時に着用者の右側に位置し、図面の左側が、おむつホルダーの着用時に着用者の左側に位置する。従って、図１では、おむつホルダーの外側面が見えるように、おむつホルダーが示されている。
【００３８】
パンツ部材２は、前側部Ｆに右フラップ部５と左フラップ部６とを有する。左右フラップ部５，６は、前側部Ｆにあり、パンツ部材２の最も幅狭な部分の外縁より横方向ｘの外方に位置する部分に相当する。右フラップ部５と左フラップ部６は、おむつホルダー１の着用時に、前側部Ｆとともに着用者の腹部を覆う部分である。
【００３９】
右ウェスト部３と左ウェスト部４の一方または両方には、ウェスト用留め具７が設けられることが好ましい。右ウェスト部３と左ウェスト部４の一方または両方にウェスト用留め具７が設けられれば、ウェスト用留め具７により右ウェスト部３と左ウェスト部４とを連結することができ、その結果、左右ウェスト部３，４を着用者の腰周りに固定することができる。図１では、右ウェスト部３の肌側面にウェスト用留め具７が設けられる実施態様を示しており、右ウェスト部３をウェスト用留め具７により左ウェスト部４または後側部Ｂに接合することにより、左右ウェスト部３，４を着用者の腰周りに固定することができる。
【００４０】
右フラップ部５と左フラップ部６には、前側留め具８が設けられることが好ましい。前側留め具８ば左右フラップ部５，６の肌側面に設けられ、着用者の腰周りに装着された左右ウェスト部３，４または後側部Ｂに、左右フラップ部５，６を前側留め具８により接合する。
【００４１】
ウェスト用留め具７や前側留め具８としては、例えば、面ファスナー（フック・ループ・ファスナー）のフック部材やループ部材を用いればよい。ウェスト用留め具７や前側留め具８としてフック部材を用いる場合は、左右ウェスト部３，４や後側部Ｂにループ部材を設けたり、左右ウェスト部３，４や後側部Ｂをループ部材として機能する材料（例えば、織布、編布、不織布等）で構成すればよい。
【００４２】
図１に示すおむつホルダーの着用方法について、図２を用いて説明する。図２に示すおむつホルダー１は、パンツ部材２が、ウェスト用留め具７と前側留め具８が接合可能な材料から構成されている。
【００４３】
図２（ａ）には、図１に示したおむつホルダー１を肌側面から見た図を示している。おむつホルダー１は、後側部Ｂを着用者の背側に当てながら、右ウェスト部３を着用者の右側の腰周りに当て、左ウェスト部４を着用者の左側の腰周りに当てる。次いで、右ウェスト部３を引っ張りながら、右ウェスト部３のウェスト用留め具７を左ウェスト部４の外側面に接合する（図２（ａ），（ｂ）参照）。その結果、左右ウェスト部３，４を着用者の腰周りに固定することができる。次いで、前側部Ｆと左右フラップ部５，６を、着用者の股間を通して着用者の腹側に持ってきて、左右フラップ部５，６を着用者の左右方向に拡げながら着用者の上方向に引っ張って、左右フラップ部５，６を前側留め具８により左右ウェスト部３，４に固定する（図２（ｂ），（ｃ）参照）。その結果、パンツ部材２がパンツ形状に形成され、おむつホルダー１を着用することができる。図２（ｃ）では、おむつホルダー１は、ショーツタイプのパンツ形状に形成されている。
【００４４】
図１および図２に示したおむつホルダー１には、パンツ部材２のそけい部に沿って弾性部材１０が設けられ、さらにループ状の取っ手部材９が弾性部材１０と重なって設けられている。おむつホルダー１では、弾性部材１０がパンツ部材２の肌側面に取り付けられ、取っ手部材９がパンツ部材２の外側面に取り付けられている。おむつホルダー１はショーツタイプのパンツ形状を有しているため、パンツ部材２のそけい部は、パンツ形状に形成した状態の脚開口縁に沿う部分に相当することとなる。つまり、弾性部材１０が脚開口縁に沿って設けられ、さらに取っ手部材９が脚開口縁の近傍に設けられている。
【００４５】
おむつホルダー１は、パンツ部材２のそけい部に取っ手部材９が設けられているため、おむつホルダー１を着用した状態で取っ手部材９を上方に引っ張ることにより、おむつホルダー１の肌側面に載置した尿パッド等が着用者の肌に押し付けられて、尿パッド等の着用者の股間へのフィット性を高めることができる。また、パンツ部材２のそけい部に沿って弾性部材１０が設けられているため、おむつホルダー１の肌側面に載置された尿パッド等の着用者の肌への密着性が高められる。
【００４６】
次に、図１および図２に示したおむつホルダーとは別の態様のおむつホルダーについて、図３および図４を参照して説明する。図３および図４には、予めパンツ形状に形成されたおむつホルダーの一例を示す。図３は着用時のおむつホルダーの斜視図を表し、図４は図３に示したおむつホルダーの着用前の状態を表す。
【００４７】
図３および図４に示したおむつホルダー１１はパンツ部材１２を有し、パンツ部材１２は１つのウェスト開口と２つの脚開口を有するパンツ形状に形成されている。パンツ部材１２は、ウェスト開口にウェスト開口縁１３を有し、脚開口に脚開口縁１４を有する。おむつホルダー１１は、パンツ部材１２が、そけい部から下方に延在する部分を有するボクサータイプのパンツ形状を有している。パンツ部材１２がボクサータイプのパンツ形状を有していれば、おむつホルダー１１の肌側面に載置した尿パッド等が脚開口縁１４からはみ出しにくくなり、おむつホルダー１１を用いて尿パッド等を装着しやすくなる。また、おむつホルダー１１を着用した際の見栄えも良くなる。
【００４８】
おむつホルダー１１には、パンツ部材１２のそけい部に沿って弾性部材１６が設けられ、さらにループ状の取っ手部材１５が弾性部材１６と重なって設けられている。弾性部材１６はパンツ部材１２の肌側面に取り付けられ、取っ手部材１５がパンツ部材１２の外側面に取り付けられている。図３および図４に示したおむつホルダー１１はボクサータイプのパンツ形状を有しているため、図１および図２に示したおむつホルダー１と異なり、そけい部がパンツ部材１２の脚開口縁１４から離れて延在している。このようにボクサータイプのパンツ形状を有するおむつホルダー１１では、取っ手部材１５の効果がさらに発揮される。すなわち、おむつホルダー１１を着用した状態では、おむつホルダー１１の肌側面に載置した尿パッド等の装着状態を脚開口から指を入れたりして調整することは困難であるところ、おむつホルダー１１に取っ手部材１５が設けられていれば、取っ手部材１５を上方に引っ張ることにより尿パッド等の装着状態を調整することが容易になる。また、パンツ部材１２のそけい部に沿って弾性部材１６が設けられているため、おむつホルダー１１の肌側面に載置された尿パッド等の着用者の肌への密着性を高めることができる。
【００４９】
おむつホルダー１１のパンツ部材１２は、図４に示すように、ウェスト開口縁１３が左右に分離して前開き可能に形成されている。つまり、パンツ部材１２は、前側部がウェスト開口縁１３から左右に分離可能に形成されている。このとき、パンツ部材１２は、ウェスト開口縁１３が左右に分離可能であるとともに、前側部の少なくとも一部が左右に分離可能に形成されていればよい。このようにパンツ部材１２が形成されていれば、パンツ部材１２が着用前からパンツ形状に形成されているものであっても、おむつホルダー１１の着脱が容易になる。なおパンツ部材の前側部とは、おむつホルダー着用時に着用者の腹側に当てる部分を意味し、パンツ部材の前側半分の部分に相当する。
【００５０】
図３および図４に示したおむつホルダー１１では、パンツ部材１２の前側部が左側部分１７と右側部分１８に分離可能に形成され、左側部分１７と右側部分１８の一部が重なって前開き可能なパンツ形状に形成されている。左側部分１７と右側部分１８は、おむつホルダー１１を着用した状態で着用者の左右方向に基づき定められる。
【００５１】
左側部分１７と右側部分１８には、互いが対面する部分にそれぞれ留め具が設けられることが好ましい。図３および図４に示したおむつホルダー１１では、右側部分１８の外側面に左側部分１７が重ねられているため、左側部分１７の肌側面と右側部分１８の外側面にそれぞれ留め具１９，２０が設けられている。
【００５２】
留め具１９，２０としては、面ファスナー（フック・ループ・ファスナー）、線ファスナー（ジッパー、チャック）、ボタン等が挙げられる。留め具１９，２０に用いられるボタンとしては、ボタンとボタンホールの組み合わせやスナップボタンの凸部材と凹部材の組み合わせ等を採用することができる。なかでも、留め具１９，２０としては、面ファスナーのフック部材やループ部材を用いることが好ましい。留め具１９，２０として面ファスナーを用いれば、着用者の体型や装着する尿パッド等の嵩張り度合に応じて左側部分１７と右側部分１８の重ね合わせを調節することで、おむつホルダー１１のフィット性を容易に高めることができる。留め具１９，２０として面ファスナーを用いる場合、左側部分１７に設けられる留め具１９と右側部分１８に設けられる留め具２０の一方にフック部材を設け、他方にループ部材を設ければよい。また、ループ部材を設ける一態様として、留め具１９と留め具２０のうちの他方をループ部材として機能する材料（例えば、織布、編布、不織布等）で構成してもよい。
【００５３】
図３および図４に示したおむつホルダー１１では、留め具１９，２０として、ウェスト開口縁１３に沿って留め具１９Ａ，２０Ａと、左側部分１７と右側部分１８の前開き縁部に留め具１９Ｂ，２０Ｂが設けられている。ウェスト開口縁１３に沿って留め具１９Ａ，２０Ａを設けることにより、おむつホルダー１１を着用した際に、着用者の腰周りのサイズ調整が容易になる。左側部分１７と右側部分１８の前開き縁部に留め具１９Ｂ，２０Ｂを設けることにより、おむつホルダー１１の着用時にパンツ部材１２の前開きを閉じて、尿パッド等を着用者の股間に密着させるように装着することが容易になる。なお、左側部分１７と右側部分１８の前開き縁部とは、左側部分１７の右側縁から５０ｍｍ以内の領域（好ましくは３０ｍｍ以内の領域）と右側部分１８の左側縁から５０ｍｍ以内の領域（好ましくは３０ｍｍ以内の領域）をそれぞれ意味する。パンツ部材１２の前開きは、左側部分１７の右側縁と右側部分１８の左側縁により規定される。
【００５４】
なお図面には示されていないが、左側部分１７と右側部分１８は互いに重ね合わさずに、左側部分１７の右側縁と右側部分１８の左側縁が接続可能に形成されていてもよい。この場合、左側部分１７の右側縁と右側部分１８の左側縁に線ファスナー（ジッパー、チャック）が設けられ、線ファスナーによりパンツ部材１２がの前側部が前開き可能に形成されていればよい。
【００５５】
パンツ部材１２は、左側部分１７と右側部分１８の少なくとも一方の前開き縁部に、第２取っ手部材が設けられることが好ましい。図３および図４に示したおむつホルダー１１では、左側部分１７と右側部分１８の両方の前開き縁部に第２取っ手部材２１が設けられている。第２取っ手部材２１は、おむつホルダー１１を着脱する際に着用者や介護者等が手でつまむための部材であり、第２取っ手部材２１をつまむことでパンツ部材１２の前開きを閉じたり開いたりすることが容易になる。特に高齢の着用者は手で細かい作業をすることが苦手とする場合があり、そのような高齢の着用者であっても、第２取っ手部材２１を利用することでおむつホルダー１１の着脱が容易になる。
【００５６】
第２取っ手部材２１の形状は、取っ手部材を着用者や介護者が手でつまむことができるのであれば、特に限定されない。第２取っ手部材２１の形状は、例えば、ストリップ状（短冊状）やループ状が挙げられる。なかでも、第２取っ手部材２１はループ状であることが好ましく、このように第２取っ手部材２１が構成されていれば、第２取っ手部材２１のループ状の部分に指を引っかけることができ、高齢の着用者であっても第２取っ手部材２１を取り扱いやすくなる。
【００５７】
第２取っ手部材のパンツ部材から延出する部分の長さやループ部分の周長の好適範囲は、そけい部に設けられる取っ手部材と同様である。また、第２取っ手部材を構成する材料についても、そけい部に設けられる取っ手部材に使用可能な材料を採用することができる。
【００５８】
パンツ部材１２にはウェスト開口縁１３に沿ってウェスト用弾性部材が設けられることが好ましい（図示せず）。ウェスト用弾性部材を設けることにより、おむつホルダー１１の腰周りのフィット性を高めやすくなる。
【００５９】
パンツ部材１２には脚開口縁１４に沿って脚用弾性部材が設けられることが好ましい（図示せず）。脚用弾性部材を設けることにより、おむつホルダー１１の脚周りのフィット性を高めやすくなり、また、おむつホルダー１１の肌側面に載置した尿パッド等が脚開口縁１４からはみ出しにくくなる。
【００６０】
本発明のおむつホルダーは、パンツ部材が伸縮材料から構成されることが好ましい。パンツ部材が伸縮性を有していれば、おむつホルダーを着用した際、おむつホルダーの肌側面に載置した尿パッド等の着用者の肌への密着性を高めることができる。伸縮材料としては、天然ゴム；スチレン−ブタジエン共重合体、ポリイソブチレン等の合成ゴム；ポリウレタン、ポリエーテル・ポリエステル、ポリブチレンテレフタレート、ポリトリメチレンテレフタレート等の合成樹脂等を用いることができる。この場合、パンツ部材は、伸縮材料を含む繊維から形成された織布、編布、不織布等から構成されたり、伸縮材料をフィルム状に形成したプラスチックフィルムから構成されればよい。
【００６１】
パンツ部材は、横方向の伸び率が縦方向の伸び率よりも大きいことが好ましい。縦方向とは、おむつホルダーを着用者が着用した際、着用者の上下方向または着用者の股間の前後方向に延びる方向を意味し、横方向とは、おむつホルダーを着用者が着用した際の着用者の左右方向に相当する。パンツ部材が、横方向の伸び率が縦方向の伸び率よりも大きくなるように構成されていれば、おむつホルダーの着用者の腰周りへの密着性を高めやすくなる。またおむつホルダーを着用した際に、着用者の腰や脚の動きにパンツ部材が追従しやすくなり、装着感が向上する。
【００６２】
パンツ部材が横方向と縦方向で異なる伸び率を有する場合、パンツ部材は編布から構成されることが好ましい。編布のなかでも特に緯編布は、編布の巾方向の伸び率が高いためより好ましい。編布を構成する糸としては、ポリウレタン、ポリエステルなどの伸縮性を有する糸のみを用いてもよいが、綿などの天然繊維を交編させることで肌触りを良くすることもできる。
【００６３】
パンツ部材の横方向の伸び率の縦方向の伸び率に対する比（横方向の伸び率／縦方向の伸び率）は、１．２以上が好ましく、２．０以上がより好ましく、また８．０以下が好ましく、６．０以下がより好ましい。パンツ部材がこのように構成されていれば、着用者の腰周りへの密着性を高めておむつホルダーを着用することが容易になる。
【００６４】
パンツ部材の横方向の伸び率は、８０％以上が好ましく、１００％以上がより好ましく、また２００％以下が好ましく、１８０％以下がより好ましい。パンツ部材がこのような伸び率を有していれば、おむつホルダーの着用者の腰周りへの密着性を高めやすくなり、また着用者の腰や脚の動きへの追従性を高めやすくなる。
【００６５】
伸び率はＪＩＳ  Ｌ  １０１８  ８．１４．２の定荷重時伸び率（カットストリップ法）に基づき測定する。具体的には、２．５ｃｍ×２０ｃｍの試験片を縦方向または横方向が長手方向となるように５枚ずつ切り出し、引張試験機にて伸び率を測定する。試験片の長手方向の一端を引張試験機の上部クランプに固定し、他端に初荷重２９ｍＮを加えて試験片に１０ｃｍ（Ｌ）間隔に印を付け、その後、７．３５Ｎの荷重を加えて１分間放置し、放置後の印間の長さＬ１（ｃｍ）を測り、式：ＥＰ＝（Ｌ１−Ｌ）／Ｌ×１００に基づき伸び率ＥＰを算出する。伸び率は５つの試験片の測定結果の平均値を用いる。
【００６６】
パンツ部材は縦方向と横方向の伸長弾性率が６０％以上であることが好ましく、７０％以上がより好ましく、また１００％以下が好ましく、９０％以下がより好ましい。パンツ部材がこのような伸長弾性率を有していれば、おむつホルダーの着用者の腰周りへの密着性を高めやすくなり、またおむつホルダーの肌側面に載置した尿パッド等の着用者への密着性を高めやすくなる。
【００６７】
伸長弾性率はＪＩＳ  Ｌ  １０１８  ８．１５．２のＢ法（定荷重法）に基づき測定する。具体的には、２．５ｃｍ×２０ｃｍの試験片を縦方向または横方向が長手方向となるように５枚ずつ切り出し、引張試験機にて伸長弾性率を測定する。試験片の長手方向の一端を引張試験機の上部クランプに固定し、他端に初荷重２９ｍＮを加えて試験片に１０ｃｍ（Ｌ）間隔に印を付ける。その後、７．３５Ｎの荷重を加えて１分間放置し、放置後の印間の長さＬ１（ｃｍ）を測り、次いで直ちに荷重を取り除き３分間放置し、放置後の印間の長さＬ２（ｃｍ）を測り、式：Ｅｅ＝（Ｌ１−Ｌ２）／（Ｌ１−Ｌ）×１００に基づき伸長弾性率Ｅｅを算出する。伸長弾性率は５つの試験片の測定結果の平均値を用いる。
【００６８】
パンツ部材は、通気性を確保して、着用時の蒸れを低減する点から、織布、編布、不織布等の布材料から構成されることが好ましく、織布または編布から構成されることがより好ましい。パンツ部材の通気性は、例えば、３０ｃｃ／ｃｍ2・ｓ以上であることが好ましく、４０ｃｃ／ｃｍ2・ｓ以上であることがより好ましい。パンツ部材の通気性の上限は特に限定されないが、パンツ部材の強度を確保する点から、例えば、２００ｃｃ／ｃｍ2・ｓ以下であればよい。通気性は、ＪＩＳ  Ｌ  １０１８  ８．３３．１に基づき測定する。
【符号の説明】
【００６９】
１，１１：  おむつホルダー
２，１２：  パンツ部材
９，１５  取っ手部材
１０，１６：  弾性部材
２１：  第２取っ手部材
【図１】
0005959910.tif 000002
【図２】
0005959910.tif 000003
【図３】
0005959910.tif 000004
【図４】
0005959910.tif 000005